(57)【要約】【課題】駆動回路の発熱量を所定のレベル以下に維持することができるプラズマ表示装置を提供する。【解決手段】本発明は、複数の第１電極、複数の第２電極、及び第１及び第２電極と交差する方向に形成される複数の第３電極を含むプラズマ表示パネル、入力電圧を変換して、第１電圧を生成する電源供給装置、及び第１電極の電圧を時間の経過に伴って第１電圧より高い第２電圧から第１電圧まで減少させる第１駆動回路部を含み、第１駆動回路部は、アノードが第１電極に連結される第１ダイオード、及び第１端が第１ダイオードのカソードに連結され、第２端が第１電圧を供給する第１電源に連結される第１スイッチを含み、第１電極の電圧は、第１スイッチがオン（ＯＮ）された状態を維持する間に第１電圧まで減少するプラズマ表示装置を提供する。【選択図】図４
2008165157.tif 000002
【特許請求の範囲】
【請求項１】
複数の第１電極、複数の第２電極、及び前記第１電極及び第２電極と交差する方向に形成される複数の第３電極を含むプラズマ表示パネル；
入力電圧を変換して第１電圧を生成する電源供給装置；及び
前記第１電極の電圧を時間の経過に伴って前記第１電圧より高い第２電圧から前記第１電圧まで減少させる第１駆動回路部；を含み、
前記第１駆動回路部は、
アノードが前記第１電極に連結される第１ダイオード、及び
第１端が前記第１ダイオードのカソードに連結され、第２端が前記第１電圧を供給する第１電源に連結される第１スイッチを含み、
前記第１電極の電圧は、前記第１スイッチがオンされた状態を維持する間に前記第１電圧まで減少することを特徴とするプラズマ表示装置。
【請求項２】
前記電源供給装置は、前記第１電圧より低い第３電圧をさらに生成し、
前記プラズマ表示装置は、第２駆動回路部をさらに含み、
前記第２駆動回路部は、
アノードが前記第１電極に連結される第２ダイオード、及び
第１端が前記第２ダイオードのカソードに連結され、第２端が前記第３電圧を供給する第２電源に連結される第２スイッチを含むことを特徴とする請求項１に記載のプラズマ表示装置。
【請求項３】
前記第３電圧は、アドレス期間に前記複数の第１電極に順次に印加される走査電圧であることを特徴とする請求項２に記載のプラズマ表示装置。
【請求項４】
前記第１端はドレインであり、前記第２端はソースであることを特徴とする請求項１または２に記載のプラズマ表示装置。
【請求項５】
前記第１電圧は、リセット期間に前記第１電極に印加される電圧のうちの最も低い電圧であることを特徴とする請求項１乃至３のいずれか一項に記載のプラズマ表示装置。
【発明の詳細な説明】
【技術分野】
【０００１】
本発明は、プラズマ表示装置に関する。
【背景技術】
【０００２】
プラズマ表示装置は、気体放電によって生成されたプラズマを利用して文字または画像を表示する装置である。プラズマ表示パネルには、その大きさによって数十から数百万個以上の放電セルがマトリックス形態に配列されている。
【０００３】
一般に、プラズマ表示装置では、一つのフレームが複数のサブフィールドに分割されて駆動され、複数のサブフィールドのうちの表示動作が行われるサブフィールドの加重値の組合わせによって階調が表示される。各サブフィールドは、リセット期間、アドレス期間、及び維持期間に分割されて駆動される。リセット期間の間に放電セルの壁電荷の状態が初期化され、アドレス期間の間に点灯されるセル及び点灯されないセルが選択され、維持期間の間に実際に画像を表示するために点灯されるセルに対して維持放電が行われる。
【０００４】
一般的なプラズマ表示装置は、アドレス期間の間に点灯されるセルを選択するために、走査電極に印加されるスキャン電圧を利用して、スキャン電圧より所定の水準だけ高い電圧をリセット期間の終了時点に走査電極に印加するが、そのための駆動回路を図１を参照して説明する。
【０００５】
図１は従来の走査電極を駆動するプラズマ表示装置の駆動装置の一部を示した図面である。
図１に示したように、従来の駆動装置１０は、ドレインが走査電極（Ｙ）に連結され、ソースがＶｓｃＬ電圧を供給する電源（ＶｓｃＬ）に連結されるトランジスタ（ＹｓｃＬ）、カソードが走査電極（Ｙ）に連結されるツェナーダイオード（ＺＤ１）、及びドレインがツェナーダイオード（ＺＤ１）のアノードに連結され、ソースがＶｓｃＬ電圧を供給する電源（ＶｓｃＬ）に連結されるトランジスタ（Ｙｆｒ）を含む。
【０００６】
リセット期間の終了時点に、トランジスタ（Ｙｆｒ）がターンオフされ、トランジスタ（ＹｓｃＬ）はターンオフされた状態を維持する。これによって、走査電極（Ｙ）からツェナーダイオード（ＺＤ１）及びトランジスタ（Ｙｆｒ）を経てＶｓｃＬ電圧を供給する電源（ＶｓｃＬ）への電流経路が形成され、ツェナーダイオード（ＺＤ１）によって走査電極（Ｙ）に印加される電圧は、ＶｓｃＬ電圧より所定の水準（以下、ΔＶ）だけ高く維持される。
【０００７】
アドレス期間に、トランジスタ（Ｙｆｒ）がターンオフされ、トランジスタ（ＹｓｃＬ）がターンオンされる。これによって、走査電極（Ｙ）からトランジスタ（ＹｓｃＬ）を経てＶｓｃＬ電圧を供給する電源への電流経路が形成され、走査電極（Ｙ）に印加される電圧は、ＶｓｃＬ電圧になる。
【０００８】
一般に、トランジスタ（ＹｓｃＬ、Ｙｆｒ）は、ボディーダイオード（ＢｏｄｙＤｉｏｄｅ）を含む金属酸化膜半導体電界効果トランジスタ（Ｍｅｔａｌ−Ｏｘｉｄｅ Ｓｅｍｉｃｏｎｄｕｃｔｏｒ Ｆｉｅｌｄ−Ｅｆｆｅｃｔ−Ｔｒａｎｓｉｓｔｏｒｔｏｒ、以下、ＭＯＳＦＥＴ）である。
【０００９】
ＶｓｃＬ電圧は、アドレス期間の間に点灯されるセルを選択するために、走査電極に印加されるスキャン電圧を利用して、ＶｓｃＬ電圧が印加される走査電極に対応するアドレス電極（図示せず）にＶｓｃＬ電圧が走査電極に印加される時点に合わせてアドレス電圧を印加する。
【００１０】
走査電極（Ｙ）の電圧は、アドレス電極（図示せず）に印加されるアドレス電圧の影響を受けて、アドレス電極にアドレス電圧が印加される時点に瞬間的にＶｓｃＬ電圧より低い電圧に減少する。これによって、電源（ＶｓｃＬ）からトランジスタ（ＹｓｃＬ）のボディーダイオード（図示せず）を経て走査電極（Ｙ）に向かう逆電流経路が形成され、逆電流が流れることによってトランジスタ（ＹｓｃＬ）の発熱量が大きくなる短所がある。
【００１１】
また、ＶｓｃＬ電圧は−２００Ｖ程度であり、ΔＶは２５Ｖ程度に設定されるので、ツェナーダイオード（ＺＤ１）は、１７５Ｖ程度の大きな電圧耐圧を有する。しかし、このような大きな電圧耐圧を有するツェナーダイオードの利用は、プラズマ表示装置の製造費用の増加だけでなく、消費電力を増加させる短所がある。
【発明の開示】
【発明が解決しようとする課題】
【００１２】
本発明が目的とする技術的課題は、駆動回路の発熱量を所定のレベル以下に維持することができるプラズマ表示装置を提供することにある。
【課題を解決するための手段】
【００１３】
このような技術的課題を達成するために、本発明の特徴によるプラズマ表示装置は、複数の第１電極、複数の第２電極、及び前記第１及び第２電極と交差する方向に形成される複数の第３電極を含むプラズマ表示パネル、入力電圧を変換して第１電圧を生成する電源供給装置、及び前記第１電極の電圧を時間の経過に伴って前記第１電圧より高い第２電圧から前記第１電圧まで減少させる第１駆動回路部を含み、前記第１駆動回路部は、アノードが前記第１電極に連結される第１ダイオード、及び第１端が前記第１ダイオードのカソードに連結され、第２端が前記第１電圧を供給する第１電源に連結される第１スイッチを含み、前記第１電極の電圧は、前記第１スイッチがオン（ＯＮ）された状態を維持する間に前記第１電圧まで減少する。
【発明の効果】
【００１４】
本発明の特徴によれば、逆電流が流れなくなるので、トランジスタ（ＹｓｃＬ、Ｙｎｆ）の発熱量を所定のレベル以下に維持することができる。
【００１５】
また、大きな電圧耐圧を有するツェナーダイオードを使用しないので、プラズマ表示装置の製造費用及び消費電力を減少させることができる。
【発明を実施するための最良の形態】
【００１６】
以下、添付した図面を参照して、本発明の実施例について、本発明が属する技術分野で通常の知識を有する者が容易に実施することができるように詳細に説明する。しかし、本発明は、多様な相異した形態に具現され、ここで説明する実施例に限定されない。図面では、本発明を明確に説明するために、説明に不必要な部分は省略し、明細書全体を通して類似した構成要素については、類似した図面符号を付けた。
【００１７】
明細書全体を通してある部分が他の部分に“連結”されているとする時、これは“直接連結”されている場合だけでなく、その間に他の素子をおいて“電気的に連結”されている場合も意味する。また、ある部分がある構成要素を“含む”とする時、これは特に反対の記載がない限り、他の構成要素を除外するのではなく、他の構成要素もさらに含むことができることを意味する。
【００１８】
また、本明細書に記載した壁電荷という用語は、セルの壁（例えば誘電体層）上で各電極に近く形成される電荷を意味する。壁電荷は、実際に電極そのものに接触することはないが、ここでは電極に“形成される”または“蓄積される”と説明し、壁電圧は、壁電荷によってセルの壁に形成される電位差をいう。
【００１９】
それでは、本発明の実施例によるプラズマ表示装置について、図面を参照して詳細に説明する。
図２は本発明の実施例によるプラズマ表示装置を示したブロック図である。
図２に示したように、本発明の実施例によるプラズマ表示装置は、プラズマ表示パネル１００、制御装置２００、アドレス電極駆動部３００、走査電極駆動部４００、維持電極駆動部５００、及び電源供給装置６００を含む。
【００２０】
プラズマ表示パネル１００は、列方向にのびている複数のアドレス電極（Ａ１〜Ａｍ）、そして行方向に互いに対をなしてのびている複数の維持電極（Ｘ１〜Ｘｎ）及び走査電極（Ｙ１〜Ｙｎ）を含む。維持電極（Ｘ１〜Ｘｎ）は、各走査電極（Ｙ１〜Ｙｎ）に対応して形成され、一般に、その一端が互いに共通に連結されている。そして、プラズマ表示パネル１００は、維持電極（Ｘ１〜Ｘｎ）及び走査電極（Ｙ１〜Ｙｎ）が配列された基板（図示せず）及びアドレス電極（Ａ１〜Ａｍ）が配列された基板（図示せず）からなる。両基板は、走査電極（Ｙ１〜Ｙｎ）とアドレス電極（Ａ１〜Ａｍ）及び維持電極（Ｘ１〜Ｘｎ）とアドレス電極（Ａ１〜Ａｍ）が各々直交するように放電空間を間において対向して配置される。この時、アドレス電極（Ａ１〜Ａｍ）と維持電極（Ｘ１〜Ｘｎ）及び走査電極（Ｙ１〜Ｙｎ）との交差部分にある放電空間が放電セルを形成する。このようなプラズマ表示パネル１００の構造は一例であり、下記で説明する駆動波形が適用される他の構造のパネルも、本発明に適用される。
【００２１】
制御装置２００は、外部から画像信号を受信して、アドレス電極駆動制御信号（Ｓａ）、維持電極駆動制御信号（Ｓｘ）、及び走査電極駆動制御信号（Ｓｙ）を出力する。そして、制御装置２００は、一つのフレームを複数のサブフィールドに分割して駆動し、各サブフィールドは、時間的な動作の変化で表現すると、リセット期間、アドレス期間、及び維持期間からなる。また、制御装置２００は、電源供給装置６００から供給されたＤＣ電圧を利用して、アドレス期間にアドレス（Ａｄｄｒｅｓｓ）放電が起こらないセルに印加されるスキャンハイ電圧（Ｖｓｃａｎ_ｈ）を生成して、走査電極駆動部４００または維持電極駆動部５００に印加する。
【００２２】
アドレス電極駆動部３００は、制御装置２００からアドレス電極駆動制御信号（Ｓａ）を受信して、表示しようとする放電セルを選択するための表示データ信号を各アドレス電極に印加する。
【００２３】
走査電極駆動部４００は、制御装置２００から走査電極駆動制御信号（Ｓｙ）を受信して、走査電極（Ｙ）に駆動電圧を印加する。
【００２４】
維持電極駆動部５００は、制御装置２００から維持電極駆動制御信号（Ｓｘ）を受信して、維持電極（Ｘ）に駆動電圧を印加する。
【００２５】
電源供給装置６００は、プラズマ表示装置の駆動に必要な電源を制御装置２００及び各駆動部３００、４００、５００に供給する。
【００２６】
図３は本発明の実施例によるプラズマ表示装置の駆動波形を示した図面である。
図３に示したプラズマ表示装置の駆動波形は、一つのサブフィールド内の駆動波形だけを示したものであり、プラズマ表示パネル（図２の１００）の一つのサブフィールドは、制御装置（図２の２００）の制御による維持電極（Ｘ）、走査電極（Ｙ）、及びアドレス電極（Ａ）への入力電圧の変動によって、リセット期間、アドレス期間、及び維持期間からなる。
【００２７】
まず、リセット期間について説明する。リセット期間は、上昇期間及び下降期間からなる。上昇期間には、アドレス電極（Ａ）及び維持電極（Ｘ）を基準電圧（図３では０Ｖ）に維持した状態で、走査電極（Ｙ）の電圧をＶｓ電圧からＶｓｅｔ電圧まで漸進的に増加させる。走査電極（Ｙ）の電圧の増加は、走査電極（Ｙ）及び維持電極（Ｘ）の間及び走査電極（Ｙ）及びアドレス電極（Ａ）の間で微弱な放電（以下、弱放電と称する）を誘発し、これによって走査電極（Ｙ）には（−）壁電荷が形成され、維持電極（Ｘ）及びアドレス電極（Ａ）には（＋）壁電荷が形成される。走査電極（Ｙ）の電圧がＶｓｅｔ電圧に達した時点で形成される壁電荷による各電極間の壁電圧及び外部からの印加電圧の合計は、放電開始電圧（Ｖｆ）と同一である。全てのセルの状態はリセット期間に初期化されなければならず、これによって、Ｖｓｅｔ電圧は、すべての条件のセルで放電が起こる程度の高い電圧に設定される。一方、図３では走査電極（Ｙ）の電圧がランプ形態に増加または減少することを示したが、これとは異なって、漸進的に増加または減少する他の形態の電圧波形が印加されることもできる。
【００２８】
下降期間には、アドレス電極（Ａ）及び維持電極（Ｘ）を各々基準電圧及びＶｅ電圧に維持した状態で、走査電極（Ｙ）の電圧をＶｓ電圧からＶｎｆ電圧まで漸進的に減少させる。走査電極（Ｙ）の電圧の減少は、走査電極（Ｙ）及び維持電極（Ｘ）の間及び走査電極（Ｙ）及びアドレス電極（Ａ）の間で弱放電を誘発し、これによって上昇期間の間に走査電極（Ｙ）に形成された（−）壁電荷及び維持電極（Ｘ）及びアドレス電極（Ａ）に形成された（＋）壁電荷が消去される。その結果、走査電極（Ｙ）の（−）壁電荷、維持電極（Ｘ）の（＋）壁電荷、及びアドレス電極（Ａ）の（＋）壁電荷が減少する。この時、アドレス電極（Ａ）の（＋）壁電荷は、アドレス動作に適当な量まで減少する。一般に、（Ｖｎｆ−Ｖｅ）電圧の大きさは、走査電極（Ｙ）及び維持電極（Ｘ）の間の放電開始電圧（Ｖｆ）に近く設定され、これによって走査電極（Ｙ）及び維持電極（Ｘ）の間の壁電圧の差がほぼ０Ｖに近くなって、アドレス期間にアドレス放電が起こらないセルが維持期間に誤放電するのを防止する。
【００２９】
前記リセット期間のうちの下降期間は、各サブフィールド当り一回ずつ必ず存在しなければならない。これとは反対に、上昇期間は、制御装置（図２の２００）に予め設定された制御プログラムによって各サブフィールド別に存在すべきか否かが決定される。
【００３０】
アドレス期間には、点灯されるセルを選択するために維持電極（Ｘ）にＶｅ電圧を印加した状態で、複数の走査電極（Ｙ）にＶｓｃＬ電圧（走査電圧）を有する走査パルスを順次に印加する。これと同時に、ＶｓｃＬ電圧が印加された走査電極（Ｙ）によって形成される複数のセルのうちの点灯するセルを通過するアドレス電極（Ａ）にアドレス電圧（Ｖａ）を印加する。これによって、アドレス電圧が印加されたアドレス電極（Ａ）及びＶｓｃＬ電圧が印加された走査電極（Ｙ）の間及びＶｓｃＬ電圧が印加された走査電極（Ｙ）及びＶｓｃＬ電圧が印加された走査電極（Ｙ）に対応する維持電極（Ｘ）の間でアドレス放電が起きて、走査電極（Ｙ）に（＋）壁電荷が形成され、アドレス電極（Ａ）及び維持電極（Ｘ）に各々（−）壁電荷が形成される。この時、ＶｓｃＬ電圧は、Ｖｎｆ電圧より所定の水準だけ低い電圧に設定される。一方、ＶｓｃＬ電圧が印加されない走査電極（Ｙ）には、ＶｓｃＬ電圧より高いＶｓｃＨ電圧（非走査電圧）が印加され、選択されない放電セルのアドレス電極（Ａ）には、基準電圧が印加される。
【００３１】
維持期間には、走査電極（Ｙ）及び維持電極（Ｘ）にハイレベル電圧（図３ではＶｓ電圧）及びローレベル電圧（図３では０Ｖ電圧）を交互に有する維持放電パルスを反対の位相で印加する。これによって、走査電極（Ｙ）にＶｓ電圧が印加される時に、維持電極（Ｘ）に０Ｖ電圧が印加され、維持電極（Ｘ）にＶｓ電圧が印加される時に、走査電極（Ｙ）に０Ｖ電圧が印加されて、アドレス放電によって走査電極（Ｙ）及び維持電極（Ｘ）の間に形成された壁電圧及びＶｓ電圧によって、走査電極（Ｙ）及び維持電極（Ｙ）で放電が起こる。その後、走査電極（Ｙ）及び維持電極（Ｘ）に維持放電パルスを印加する過程は、当該サブフィールドが表示する加重値に対応する回数だけ反復される。
【００３２】
以下、図３に示した本発明の実施例によるプラズマ表示装置の駆動波形のうちのＶｓｃＨ電圧、ＶｓｃＬ電圧、及びＶｎｆ電圧を走査電極（Ｙ）に印加するために走査電極駆動部（図２の４００）に含まれる駆動回路を図４を参照して説明する。
【００３３】
図４は本発明の実施例による走査電極駆動部（図２の４００）を示した図面である。参考に、本発明の実施例による走査電極駆動部（図２の４００）は、図３に示した本発明の実施例によるプラズマ表示装置の駆動波形を実現するための複数の駆動回路をさらに含むが、図４では本発明の主な特徴に関係する部分だけを示した。
【００３４】
図４に示したように、本発明の実施例による走査電極駆動部（図２の４００）は、ＶｓｃＬ電圧供給部４１０、Ｖｎｆ電圧供給部４２０、及び選択回路４３０を含む。
【００３５】
ＶｓｃＬ電圧供給部４１０は、アノードが走査電極（Ｙ）に連結されるダイオード（Ｄ１）、及びドレインがダイオード（Ｄ１）のカソードに連結され、ソースがＶｓｃＬ電圧を供給する電源（ＶｓｃＬ）に連結されるトランジスタ（ＹｓｃＬ）を含む。
【００３６】
Ｖｎｆ電圧供給部４２０は、アノードが走査電極に連結されるダイオード（Ｄ２）、及びドレインがダイオード（Ｄ２）のカソードに連結され、ソースがＶｎｆ電圧を供給する電源（Ｖｎｆ）に連結されるトランジスタ（Ｙｎｆ）を含む。
【００３７】
選択回路４３０は、ドレインがＶｓｃＨ電圧を供給する電源（ＶｓｃＨ）に連結され、ソースが走査電極（Ｙ）に連結されるトランジスタ（Ｓｃｈ）、及びドレインがトランジスタ（Ｓｃｈ）のソースに連結され、ソースがダイオード（Ｄ１、Ｄ２）のアノードに連結されるトランジスタ（Ｓｃｌ）を含む。
【００３８】
ＶｓｃＬ電圧供給部４１０は、プラズマ表示パネル（図２の１００）に含まれる複数の走査電極（Ｙ）にアドレス電圧（ＶｓｃＬ電圧）を順次に供給するためのものである。ＶｓｃＬ電圧供給部４１０は、アノードが走査電極（Ｙ）に連結され、カソードがトランジスタ（ＹｓｃＬ）のドレインに連結されるダイオード（Ｄ１）を含み、これによって走査電極（Ｙ）の電圧がＶｓｃＬ電圧より低くなる場合にも、電源（ＶｓｃＬ）からトランジスタ（ＹｓｃＬ）のボディーダイオード（図示せず）を経て走査電極（Ｙ）に形成される逆電流経路を通じて電流が流れなくなる。
【００３９】
Ｖｎｆ電圧供給部４２０は、リセット期間に走査電極（Ｙ）に印加される電圧のうちの最も低い電圧であるＶｎｆ電圧を供給するためのものである。ここで、Ｖｎｆ電圧は、電源供給装置（図２の６００）で生成されて供給される。一般に、ＶｓｃＬ電圧がＶｎｆ電圧より低い電圧に設定され、これによってＶｎｆ電圧を供給する電源（Ｖｎｆ）からトランジスタ（Ｙｎｆ）のボディーダイオードを経て走査電極（Ｙ）に形成される逆電流経路を通じて電流が流れる。Ｖｎｆ電圧供給部４２０は、このような逆電流経路での電流の流れを防止するために、アノードが走査電極（Ｙ）に連結され、カソードがトランジスタ（Ｙｎｆ）のドレインに連結されるダイオード（Ｄ２）を含み、これによって逆電流経路を通じて電流が流れなくなる。
【００４０】
選択回路４３０は、制御装置（図２の２００）から入力される制御信号によって二つのトランジスタ（Ｓｃｈ、Ｓｃｌ）を選択的に駆動して、走査電極（Ｙ）にＶｓｃＨ電圧、ＶｓｃＬ電圧、及びＶｎｆ電圧を印加する。
【００４１】
一方、図４に示した本発明の実施例による走査電極駆動部４００は、維持電極（Ｘ）の駆動のための維持電極駆動部（図２の５００）に含まれ、維持電極（Ｘ）にＶｓｃＨ電圧、ＶｓｃＬ電圧、及びＶｎｆ電圧を印加するのに使用される。
【００４２】
前記本発明の実施例によるＶｓｃＬ電圧供給部４１０及びＶｎｆ電圧供給部４２０は、逆電流経路の形成を防止するためのダイオード（Ｄ１、Ｄ２）を含み、これによって逆電流が流れなくなるので、トランジスタ（ＹｓｃＬ、Ｙｎｆ）の発熱量を所定のレベル以下に維持することができる。
【００４３】
また、本発明の実施例による走査電極駆動部（図２の４００）は、従来の駆動装置（図１の１０）とは異なって、大きな電圧耐圧を有するツェナーダイオードを使用しないので、プラズマ表示装置の製造費用及び消費電力を減少させることができる。
【００４４】
以上で、本発明の実施例について詳細に説明したが、本発明の権利範囲はこれに限定されず、請求の範囲で定義している本発明の基本概念を利用した当業者の多様な変形及び改良形態も、本発明の権利範囲に属する。
【図面の簡単な説明】
【００４５】
【図１】従来の走査電極を駆動するプラズマ表示装置の駆動装置の一部を示した図面である。
【図２】本発明の実施例によるプラズマ表示装置を示したブロック図である。
【図３】本発明の実施例によるプラズマ表示装置の駆動波形を示した図面である。
【図４】本発明の実施例による走査電極駆動部（図２の４００）を示した図面である。
【符号の説明】
【００４６】
１００  プラズマ表示パネル
２００  制御装置
３００  アドレス電極駆動部
４００  走査電極駆動部
４１０  ＶｓｃＬ電圧供給部
４２０  Ｖｎｆ電圧供給部
４３０  選択回路
５００  維持電極駆動部
６００  電源供給装置
【図１】
2008165157.tif 000003
【図２】
2008165157.tif 000004
【図３】
2008165157.tif 000005
【図４】
2008165157.tif 000006